(57)【特許請求の範囲】
【請求項１】
スライド溝とこのスライド溝の形成方向に沿って形成されたパネル搭載面と前記パネル搭載面よりも下方に形成された係止部とを有しており、前記係止部は太陽電池パネルの配線及び／又は該太陽電池パネルの側端部を覆う化粧板を係止するように形成されていることを特徴とする太陽電池パネルの屋根上一体設置具。
【請求項２】
請求項１に記載の太陽電池パネルの屋根上一体設置具を屋根の勾配に沿って固定し、太陽電池パネルの枠体の一部を前記パネル搭載面に載せ、前記スライド溝にボルトの頭部を挿入してそのねじ部を前記スライド溝から上方に突出させておき、この突出している前記ねじ部に押さえ金具を取り付け、前記ねじ部に螺合するナットで前記押さえ金具を下方に押さえて前記枠体を固定して太陽電池パネルを設置し、この太陽電池パネルの配線及び／又は該太陽電池パネルの側端部を覆う化粧板を前記係止部にて係止することを特徴とする太陽電池パネルの屋根上一体設置方法。
【請求項３】
スライド溝とこのスライド溝の形成方向に沿って形成されたパネル搭載面とを有する太陽電池パネルの屋根上一体設置具を複数個所定間隔で屋根に固定し、太陽電池パネルの軒側の枠体の一部を複数個の前記屋根上一体設置具における夫々の前記パネル搭載面に載せ、前記スライド溝にボルトの頭部を挿入してそのねじ部を前記スライド溝から上方に突出させておき、この突出している前記ねじ部に押さえ金具を取り付け、前記ねじ部に螺合するナットで前記押さえ金具を下方に押さえて前記枠体を固定して前記太陽電池パネルを設置することを特徴とする太陽電池パネルの屋根上一体設置方法。
【請求項４】
前記屋根上一体設置金具は前記パネル搭載面よりも下方に形成された係止部を有し、前記スライド溝が屋根の横方向に存在するように複数個の前記屋根上設置具を屋根に固定すると共に、最も軒側に固定される前記太陽電池パネルの配線及び／又は該太陽電池パネルの軒側端部を覆う化粧板を前記係止部にて係止することを特徴とする請求項３記載の太陽電池パネルの屋根上一体設置方法。
【発明の詳細な説明】
【０００１】
【発明の属する技術分野】
本発明は、太陽電池パネルを屋根上に一体的に設置するための設置具及びこの設置具を用いた設置方法に関する。
【０００２】
【従来の技術】
特開平８−９３１５９号公報（ＩＰＣ：Ｅ０４Ｄ  １３／１８）には、架台を用いずに屋根上に太陽電池パネルを一体的に取り付ける方法が開示されている。この方法は、図８に示すように、野地板５０上の全面に防水紙５１を敷装し、この防水紙５１を介して垂木５２に重なる位置に屋根の勾配に沿って桟木５３を配置し、この桟木５３をスクリューネイルを用いて垂木５２に固定する。そして、桟木５３には防水紙５１ａを更に被覆し、その上に水切り用として側縁を折り曲げた捨板板金５４を被覆し、この後に桟木５３を除く屋根の全面にわたって新たな防水紙５５とともにカラーベスト５６を止め付ける。
【０００３】
太陽電池パネル６０のアルミ合金枠体６１にアングル金具６２をボルト６３によって取り付けておく。そして、前記アングル金具６２を桟木５３上の所定位置に配置し、パネル取付ビス６４により、太陽電池パネル６０を桟木５３に固定する。さらに、左右に隣り合う太陽電池パネル６０間の縦方向の溝状隙間部分には、上方からカバープレート６５を止め付けビス６６で桟木５３に止め、アングル金具取り付け部分を被覆する。
【０００４】
【発明が解決しようとする課題】
上記した方法によれば、ベース架台を用いずに太陽電池パネル６０を屋根上に一体的に設置することができる。しかしながら、上記した方法では、太陽電池パネル６０をアングル金具６２を介してビス６４により直接的に桟木５３に固定している。このため、太陽電池パネル６０の修理や交換等のために当該太陽電池パネル６０を取り外す場合には、ビス６４を抜き取る必要がある。そして、修理や交換後には再びビス６４をねじ込むことになるが、既成のねじ穴にビス６４をねじ込んだのでは十分な取付強度を確保することができず、別の箇所にビス６４をねじ込むといった作業が必要になる。
【０００５】
また、桟木５３の配置が注意深く行われずにばらつきが生じた場合には、桟木５３の上にアングル金具６２を上手く設置できないし、業者に桟木の精緻な設置を要求するのでは、業者の負担が増大することになる。更に、桟木５３上にも捨板板金５４を敷くため、作業性に劣るという欠点も有している。一方、捨板板金５４の縁を桟木５３の上面に至らせずに側面にとどめた場合には、当該側面と捨板板金５４の縁との間から雨水が侵入するという不具合を生じる。
【０００６】
この発明は、上記の事情に鑑み、設置作業性に優れ、且つ保守点検等も容易に行える太陽電池パネルの屋根上一体設置具及びこの設置具を用いた太陽電池パネルの屋根上一体設置方法を提供することを目的とする。
【０００７】
【課題を解決するための手段】
この発明の太陽電池パネルの屋根上一体設置具は、スライド溝とこのスライド溝の形成方向に沿って形成されたパネル搭載面と前記パネル搭載面よりも下方に形成された係止部とを有しており、前記係止部は太陽電池パネルの配線及び／又は太陽電池パネルの側端部を覆う化粧板を係止するように形成されている。
【００１０】
この発明の太陽電池パネルの屋根上一体設置方法は、前記設置具を屋根の勾配に沿って固定し、太陽電池パネルの枠体の一部を前記パネル搭載面に載せ、前記スライド溝にボルトの頭部を挿入してそのねじ部を前記スライド溝から上方に突出させておき、この突出している前記ねじ部に押さえ金具を取り付け、前記ねじ部に螺合するナットで前記押さえ金具を下方に押さえて前記枠体を固定して太陽電池パネルを設置し、この太陽電池パネルの配線及び／又は該太陽電池パネルの側端部を覆う化粧板を前記係止部にて係止することを特徴とする。
【００１１】
上記の方法は、屋根の勾配に沿って前記設置具を固定する方法であり、当該設置具としては比較的短いものが好適である。前記設置具の固定の仕方によって前記スライド溝は屋根の縦方向又は横方向に存在することになり、前記ボルトの配置については屋根の縦方向又は横方向において自由度を確保することができ、太陽電池パネルの設置の作業性が向上する。また、太陽電池パネルを取り外すときには前記ナットを外すだけでよく、再び太陽電池パネルを取り付けるときには前記ナットを締め付けるだけでよいから、修理や交換の作業性も向上する。そして、太陽電池パネルの配線や化粧板を前記係止部に係合できるので、太陽電池パネルの設置の仕上げ作業が容易であり、しかも仕上がりを美しくすることができる。
【００１２】
【発明の実施の形態】
（参考形態１）
以下、この発明の実施の形態を図に基づいて説明する。図１（ａ）は、参考形態１の設置具及び設置方法を用いて施工された太陽電池パネルの屋根上一体設置状態を概略的に示した斜視図であり、同図（ｂ）は同図（ａ）のＡ矢示部拡大図であり、同図（ｃ）は同図（ｂ）のＢ矢示部拡大図である。
【００１３】
この参考形態の設置具１は、アルミ製押出成形品からなり、棟側から軒側に略至る長さを有し、上面にはスライド溝であるＴ型溝１ａ及びこのＴ型溝１ａの形成方向に沿って形成されたパネル搭載面１ｂを有し、側部には前記Ｔ型溝１ａの形成方向に沿い且つパネル搭載面１ｂよりも下方に形成された係止部１ｃを有している。前記係止部１ｃは設置具１の側面から幾分離間して前記パネル搭載面１ｂの側縁から下方に延びた鉤形状を有し、野地板５上に葺かれた金属板３の縁を上方から覆うように係止する。具体的には、設置具１の側面と前記係止部１ｃとによって開口を下側に有した係止収容空間が形成されており、Ｕ字状に折曲した金属板３の側縁を前記開口から前記係止収容空間にはめ込むことで、当該金属板３の側縁が係止される。なお、この係止の確実性を高めるために、設置具１の側面（前記係止収容空間の部分）には凸部が形成され、また、係止部１ｃの先端部には返しが形成されている。設置具１の下部は横方向に裾広がりに形成されており、この裾広がりの部分には図示しない貫通穴が斜め方向（垂木４に向かう方向）に形成されている。上記貫通穴からスクリューネイル等をねじ込むことで、設置具１を垂木４及び野地板５に固定することができる。
【００１４】
次に、上記設置具１を用いた設置方法について説明する。まず、野地板５上の全面に防水紙６を敷装し、この防水紙６を介して垂木４に重なる位置に屋根の勾配に沿って設置具１を配置し、この設置具１の前記裾広がりの部分に形成されている貫通穴からスクリューネイルを挿通し、これをねじ込むことによって、当該設置具１を垂木４及び野地板５に固定する。なお、防水紙６と設置具１との間にブチルゴム等のシール材を介在させておいてもよい。
【００１５】
設置具１，１間に、両側縁が予めＵ字形状に折り曲げられた金属板３を配置する。そして、金属板３の一方のＵ字状折曲部分を設置具１の係止部１ｃに係止させた後、金属板３の弾性を利用してこれを少し撓ませて他方のＵ字状折曲部分を隣の設置具１の係止部１ｃに係止させる。設置具１の軒側端面には図示しない仕上げ板（化粧板）が配置されるので、金属板３が軒側へと滑り落ちるのが防止される。
【００１６】
設置具１のＴ型溝１ａに角頭ボルト７の頭部を挿入し、そのねじ部をＴ型溝１ａから突出させておく。次に、太陽電池パネル１０の枠体を設置具１のパネル搭載面１ｂに載せる。そして、断面コ字形状の押さえ金具８を前記角頭ボルト７のねじ部に取り付け、このねじ部に螺合するナット９で前記押さえ金具８を下方に押さえて前記枠体を固定して、太陽電池パネル１０を設置する。
【００１７】
上記の方法であれば、設置具１が屋根の勾配に沿って設けられることで、前記Ｔ型溝１ａは屋根の縦方向に存在することになり、前記角頭ボルト７の配置については屋根の縦方向において自由度を確保することができ、太陽電池パネル１０の設置の作業性が向上する。また、太陽電池パネル１０を取り外すときには前記ナット９を外すだけでよく、また、再び太陽電池パネル１０を取り付けるときには前記ナット９を締めつけるだけでよいから、修理や交換の作業性も向上する。そして、野地板５上に葺かれた金属板３の縁は前記係止部１ｃに係合されるので、当該金属板３の縁と設置具１との間から雨水が侵入するのを防止し得る。
【００１８】
（参考形態２）
図２（ａ）はこの参考形態の設置具１１を屋根上に取り付けた状態を示した斜視図であり、同図（ｂ）は同図（ａ）のＣ矢示部拡大図である。なお、参考形態１と同一の部材には同一の符号を付記してある。
【００１９】
この参考形態の設置具１１は、アルミ製押出成形品からなり、棟側から軒側に略至る長さを有し、上面にはＴ型溝１１ａ及びこのＴ型溝１１ａの形成方向に沿って形成されたパネル搭載面１１ｂを有し、側部には前記Ｔ型溝１１ａの形成方向に沿い且つパネル搭載面１１ｂよりも下方に形成された係止部１１ｃを有している。前記係止部１１ｃは、設置具１１の側面から側方に突出した板状体の下面に、金属板３を押さえる押圧先鋭部１１ｅ、ゴム等から成る止水材１３が収容される止水材収容部１１ｆ、及び金属板３のＵ字状に折曲した側縁を収容する側縁収容部１１ｇを有して成り、野地板５上に葺かれた金属板３の縁を上方から覆って係止する。前記パネル搭載面１１ｂと前記係止部１１ｃとの間には傾斜面が形成されており、この傾斜面の部分には図示しない貫通穴が斜め方向（垂木４に向かう方向）に形成されている。上記貫通穴からスクリューネイル１２等をねじ込むことで、設置具１１を垂木４及び野地板５に固定することができる。
【００２０】
次に、上記設置具１１を用いた設置方法について説明する。まず、野地板５上の全面に防水紙６を敷装し、金属板３を葺く。隣り合う金属板３，３間には、垂木４の上方において前記側縁収容部１１ｇの間隔に応じた幅の隙間を形成しておく。なお、金属板３は工場において高精度で曲げ加工されており、その寸法精度は高い。従って、金属板３を所定ピッチで屋根上に置くことで、設置具１１の設置箇所が自ずと出来上がることになる。
【００２１】
上記の自ずと形成された設置箇所に設置具１１を配置し、この設置具１１の前記貫通穴からスクリューネイル１２を挿通し、これをねじ込むことによって、当該設置具１１を垂木４及び野地板５に固定する。そして、この固定によって、金属板３の側縁が設置具１１の係止部１１ｃにて押され、金属板３が屋根上に固定されることになる。また、設置具１１の軒側端面には図示しない仕上げ板（化粧板）が配置されるので、金属板３が軒側へと滑り落ちるのが防止される。
【００２２】
設置具１１のＴ型溝１１ａに角頭ボルト７の頭部を挿入し、そのねじ部をＴ型溝１１ａから突出させておく。次に、太陽電池パネル１０の枠体を設置具１のパネル搭載面１１ｂに載せる。そして、断面コ字形状の押さえ金具８を前記角頭ボルト７のねじ部に取り付け、このねじ部に螺合するナット９で前記押さえ金具８を下方に押さえて前記枠体を固定して、太陽電池パネル１０を設置する。
【００２３】
上記の方法であれば、設置具１１が屋根の勾配に沿って設けられることで、前記Ｔ型溝１１ａは屋根の縦方向に存在することになり、前記角頭ボルト７の配置については屋根の縦方向において自由度を確保することができ、太陽電池パネル１０の設置の作業性が向上する。また、太陽電池パネル１０を取り外すときには前記ナット９を外すだけでよく、また、再び太陽電池パネル１０を取り付けるときには前記ナット９を締めつけるだけでよいから、修理や交換の作業性も向上する。そして、野地板５上に葺かれた金属板３の縁は前記係止部１１ｃに係合されるので、当該金属板３の縁と設置具１１との間から雨水が侵入するのを防止し得る。特に、係止部１１ｃには、押圧先鋭部１１ｅが形成されており、更にゴム等から成る止水材１３が止水材収容部１１ｆに収容されているので、雨水の侵入をより確実に防止できる。
【００２４】
（実施の形態１）
図３はこの実施の形態の設置具２１を示した平面図であり、図４は同斜視図であり、図５は設置具２１を用いて屋根上に太陽電池パネル１０を取り付けた状態を示した断面図であり、図６は同斜視図である。
【００２５】
この実施の形態の設置具２１は、アルミ製押出成形品からなり、角状部材である瓦棒（心木入り）２２上に固定するのに好適な大きさを有し、上面にはスライド溝であるＴ型溝２１ａ及びこのＴ型溝２１ａの形成方向に沿って形成されたパネル搭載面２１ｂを有し、側部には前記Ｔ型溝２１ａの形成方向に沿い且つパネル搭載面２１ｂよりも下方に形成された係止部２１ｃを有している。係止部２１ｃは、設置具２１の側面下側から側方に突出した第１片２１ｅと、この第１片２１ｅの端部付近で上方に立ち上がり側方に曲げられた第２片２１ｆとがその間に係合空間を成すことで形成されている。第２片２１ｆの高さは、前記パネル搭載面２１ｂの高さと同一にしてある。設置具２１の前記第１片２１ｅには、貫通穴が形成されている。この貫通穴からスクリューネイル２７をねじ込むことで、設置具２１を瓦棒２２に固定することができる。
【００２６】
そして、図４に示しているように、化粧板２３には折曲係止片２３ａが形状されており、この折曲係止片２３ａは前記係止部２１ｃに係止される形状を有する。また、配線２４には係止具２５が装着される。この係止具２５も前記係止部２１ｃに係止される形状を有する。
【００２７】
次に、上記設置具２１を用いた設置方法について説明する。まず、野地板５に前述した瓦棒２２の心木や金属板等を配置して瓦棒葺構造を形成する。そして、瓦棒２２上に設置金具２１を所定間隔で配置し、前記貫通穴からスクリューネイル２７を挿通し、これをねじ込むことによって、当該設置具２１を瓦棒材２２に固定する。なお、図５では、瓦棒２２と設置具２１との間にブチルゴム等のシール材２６を介在させている。また、スクリューネイル２７の頭部には防水用のシリコーンコーキングを施している。
【００２８】
設置具２１のＴ型溝２１ａに角頭ボルト７の頭部を挿入し、そのねじ部をＴ型溝２１ａから突出させておく。次に、太陽電池パネル１０の枠体を設置具２１のパネル搭載面２１ｂに載せる。そして、断面コ字形状の押さえ金具８を前記角頭ボルト７のねじ部に取り付け、このねじ部に螺合するナット２９で前記押さえ金具８を下方に押さえて前記枠体を固定して、太陽電池パネル１０を設置する。
【００２９】
上記の構成であれば、設置具２１の配置の仕方によって、前記Ｔ型溝２１ａは屋根の縦方向または横方向（図では横方向としている）に存在することになり、前記角頭ボルト７の配置については屋根の縦方向または横方向において自由度を確保することができ、太陽電池パネル１０の設置の作業性が向上する。また、太陽電池パネル１０を取り外すときには前記ナット９を外すだけでよく、再び太陽電池パネル１０を取り付けるときには前記ナット９を締めつけるだけでよいから、修理や交換の作業性も向上する。そして、化粧板２３や配線２４は前記係止部２１ｃに係合されるので、太陽電池パネル１０の設置の仕上げ作業が容易であり、しかも仕上がりを美しくすることができる。
【００３０】
（実施の形態２）
図７はこの実施の形態の設置具３１を示した斜視図である。設置具３１は、アルミ製押出成形品からなり、瓦棒等の角状部材に固定するのに好適な大きさを有し、上面にはスライド溝であるＴ型溝３１ａ及びこのＴ型溝３１ａの形成方向に沿って形成されたパネル搭載面３１ｂを有し、側部には前記Ｔ型溝３１ａの形成方向に沿い且つパネル搭載面３１ｂよりも下方に形成された第１係止部３１ｃ，第２係止部３１ｄを有している。第１係止部３１ｃは設置具３１の側面から側方に突出した上側片３１ｅと下側片３１ｆとがその間に折曲片収容空間を成すことで形成されている。上記の折曲片収容空間は、化粧板の折曲係止片の形状に対応した形状を有する。第２係止部３１ｄは前記下側片３１ｆの側端が断面Ｃ形状を成すことで形成されている。上記の断面Ｃ形状の部分は、太陽電池パネルの配線の直径に対応した大きさを有する。
【００３１】
設置具３１の上側片３１ｅ及び下側片３１ｆにおける基端部分には、貫通穴が形成されている。この貫通穴からスクリューネイル等を打ち込むことで、設置具３１を瓦棒材に固定することができる。
【００３２】
この実施の形態の設置具３１も前記実施の形態３の設置具２１と同様、設置具３１の配置の仕方によって、前記Ｔ型溝３１ａは屋根の縦方向または横方向に存在することになり、角頭ボルト７の配置については屋根の縦方向または横方向において自由度を確保することができるので、太陽電池パネルの設置の作業性が向上する。また、太陽電池パネルを取り外すときには角頭ボルト７からナットを外すだけでよく、再び太陽電池パネルを取り付けるときには前記ナットを締めつけるだけでよいから、修理や交換の作業性も向上する。そして、化粧板や配線は前記第１係止部３１ｃ，第２係止部３１ｄに各々係合されるので、太陽電池パネルの設置の仕上がりを美しくすることができる。また、第２係止部３１ｄは配線の直径に対応した断面Ｃ形状を成すので、係止具を用いることなく直接に配線を係止することができる。
【００３３】
なお、図１に示した設置具１または図２に示した設置具１１と、図３等に示した設置具２１または図７に示した設置具３１とを組み合わせて用いることも可能である。即ち、設置具１または設置具１１のＴ型溝に設けたボルトによって設置具２１または設置具３１を固定し、この設置具２１または設置具３１のＴ型溝に設けたボルトによって太陽電池パネル１０を固定する。このような組み合わせにより、設置具１または設置具１１のＴ型溝による屋根の縦方向の取付自由度及び設置具２１または設置具３１のＴ型溝による屋根の横方向の取付自由度を享受することができるようになる。
【００３４】
【発明の効果】
以上説明したように、この発明によれば、設置作業性に優れ、且つ保守点検等も容易に行えるという効果を奏する。
【図面の簡単な説明】
【図１】この発明の参考形態１を示す図であって、同図（ａ）は施工された状態を概略的に示した斜視図であり、同図（ｂ）は同図（ａ）のＡ矢示部拡大図であり、同図（ｃ）は同図（ｂ）のＢ矢示部拡大図である。
【図２】この発明の参考形態２を示す図であって、同図（ａ）は施工された状態を概略的に示した斜視図であり、同図（ｂ）は同図（ａ）のＣ矢示部拡大図である。
【図３】この発明の実施の形態１の設置具を示した平面図である。
【図４】図３の設置具の斜視図である。
【図５】図３の設置具の施工状態を示した断面図である。
【図６】図３の設置具の施工状態を示した斜視図である。
【図７】この発明の実施の形態２の設置具を示した斜視図である。
【図８】従来の太陽電池パネルの屋根上一体設置方法を示した断面図である。
【符号の説明】
１，１１，２１，３１      設置具
２      金属板
４      垂木
５      野地板
６      防水紙
７      ボルト
８      押さえ金具
９      ナット
１０    太陽電池パネル
【図１】
0003619660.tif 000002
【図２】
0003619660.tif 000003
【図３】
0003619660.tif 000004
【図４】
0003619660.tif 000005
【図５】
0003619660.tif 000006
【図６】
0003619660.tif 000007
【図７】
0003619660.tif 000008
【図８】
0003619660.tif 000009